(57)【要約】【技術課題】  大きな津波の進入を阻止する防波堤を提供する。【解決手段】  防波堤１の海側の壁面に波返し用の凹曲面２を形成し、津波４の波頭をこの凹曲面２に沿って上昇反転させることにより、波動エネルギーを減衰させて陸上側に津波４が進行するのを阻止する。また、防波堤１には貫通穴６、段差８を形成し、この貫通穴６、段差８の作用で防波堤に作用する波動エネルギーを減衰させる。【選択図】図１
2013060769.tif 000002
【特許請求の範囲】
【請求項１】
海側の壁面に波返し用の凹曲面を形成し、津波の波頭をこの凹曲面に沿って上昇反転させることにより、波動エネルギーを減衰させて陸上側に津波が進行するのを阻止するように構成してなる津波防波堤。
【請求項２】
請求項１において、波返し面に波動エネルギー分散用の段差を形成してなる津波防波堤。
【請求項３】
請求項１において、波返し面に津波減衰用の貫通穴を設けてなる津波防波堤。
【請求項４】
請求項１において、陸地側に防潮堤を併設してなる津波防波堤。
【請求項５】
請求項１において、岸壁に波返し面を形成してなる津波防波堤。
【発明の詳細な説明】
【技術分野】
【０００１】
本発明は、大きな津波の波動エネルギーを減衰する機能を備えた津波防波堤に関する。
【背景技術】
【０００２】
従来の防波堤の構造は、特許文献１、２に見られるようにコンクリート製の垂直壁構造が基本であることから、１０ｍ以上の強大な波動エネルギーを直接に受けると破壊されてしまっているのが現状である。
【０００３】
これは、波動エネルギーを壁面に直接受け止める構造に起因しており、もし、このような強大な津波のエネルギーを堤き止めるためには、大型の防波堤を造る必要がある。
【０００４】
しかし、現実的には地形や費用の問題で実現することは困難である。
【０００５】
また、特許文献３には、津波吹上誘導板で押しよせた津波を上方に反転させる装置を海上に設置する案が紹介されている。
【０００６】
しかし、この提案は、理論的には可能であるが、津波吹上誘導板で強大な津波を防ぐことは強度的に不可能であることは明白である。
【先行技術文献】
【特許文献】
【０００７】
【特許文献１】特開２００５−３１５０５８号公報
【特許文献２】特開２０１０−１０１０９７号公報
【特許文献３】特開２００１−５９２１２号公報
【発明の概要】
【発明が解決しようとする課題】
【０００８】
本発明は、従来のコンクリート製の防波堤の設置工法で強大な津波に対して有効に機能する防波堤を提供することを課題とする。
【課題を解決するための手段】
【０００９】
上記した課題を解決するため、請求項１に記載の発明は、津波防波堤において、海側の壁面に波返し用の凹曲面を形成し、津波の波頭をこの凹曲面に沿って上昇反転させることにより、波動エネルギーを減衰させて陸上側に津波が進行するのを阻止するように構成してなることを特徴とするものである。
【００１０】
次に、請求項２に記載の発明は、請求項１に記載の津波防波堤において、波返し面に波動エネルギー分散用の段差を形成してなることを特徴とするものである。
【００１１】
次に、請求項３に記載の発明は、請求項１に記載の津波防波堤において、波返し面に津波減衰用の貫通穴を設けてなることを特徴とするものである。
【００１２】
次に、請求項４に記載の発明は、請求項１に記載の津波防波堤において、陸地側に防潮堤を併設してなることを特徴とするものである。
【００１３】
また、請求項５に記載の発明は、請求項１に記載の津波防波堤において、岸壁に波返し面を形成してなることを特徴とするものである。
【発明の効果】
【００１４】
本発明の津波防波堤によると、津波が防波堤に押しよせると、波頭は凹曲面に沿って上昇し、凹曲面の上部で海側に反転する。
【００１５】
この反転作用により防波堤に作用する波動エネルギーは減衰することから、従来の防波堤では破壊されるような大きな津波でも十分に耐力を有し、防波堤としての機能を喪失することはない。
【００１６】
また、既存の防波堤においては、海側の壁面に波返し凹曲面を付設するだけで実施化が可能である。
【図面の簡単な説明】
【００１７】
【図１】本発明に係る防波堤の断面図。
【図２】波返し面に貫通穴を形成した例の説明図。
【図３】波返し面に段差を形成し、かつ波消ブロック群を設置した例の説明図。
【図４】段差の説明図。
【図５】防波堤の陸地側に小型の波返し面を有する防潮堤を設置した例の説明図。
【図６】岸壁に波返し面を形成した実施例の説明図。
【発明を実施するための形態】
【００１８】
本発明に係る実施例を図１〜図６に基づいて詳細に説明する。
【００１９】
図１は、海底地盤に基礎３を築き、海上に突出するようにして建設された鉄筋コンクリート製の防波堤１の断面図であって、実施例の場合、海面１１から頂点までの高さＨは２５ｍである。
【００２０】
この防波堤１の海側には凹状に円曲した津波返し用の凹曲面２が形成されている。
【００２１】
なお、防波堤１の高さＨについては、地形等により津波の高さには違いが生じることから、条件によっては２５ｍ以上とする場合もある。
【００２２】
防波堤１の海側の面に津波返し用の凹曲面を形成したことにより、津波４の波頭はこの津波返し用の凹曲面に衝突し、凹曲面２に沿って上昇し、やがて凹曲面２の頂点近くで反転５して海側に落下する。
【００２３】
このように、凹曲面２で波頭を反転させることにより、防波堤に作用する津波４のエネルギーは減衰され、更に反転して海面に落下する波頭の落下エネルギーの作用で津波エネルギーは減殺されることから、防波堤１に作用する津波のエネルギーは大幅に減衰される。
【００２４】
併せて、波頭エネルギーは円曲面２に衝突するため、防波堤１に作用する波頭の動的エネルギーは小さくなる。
【００２５】
このことにより、従来の垂直面に波頭を衝突させる防波堤に比較して、津波に対する耐力が増大する。
【００２６】
図２は、防波堤１の凹曲面２から後方に貫通穴６を形成した例（請求項３）であって、凹曲面２に衝突した津波のエネルギーを減衰させる意味を有する。
【００２７】
この貫通穴６は、防波堤１の強度との関係では、あまり多く設けるのは好ましくなく、またその大きさも大きすぎないことが必要である。
【００２８】
図３、４は、凹曲面２に段差８を形成した例（請求項２）であって、波頭は通常一直線状になって陸地側に押し寄せてくることから、この段差８分凹曲面２に衝突する波頭に時間差が生じ、これも一気に衝突する場合に比較して衝撃を軽減する効果がある。
【００２９】
図３において、符号の７は、防波堤１の海側の海底に設置した波消ブロック群であって、この消波ブロック群７の作用で防波堤１に接近する津波４のエネルギーを減衰することができる。
【００３０】
図５は、防波堤１の後方（陸地側）に防波堤１と同一形状で、更にスケールダウンした防潮堤９を設置した例（請求項４）であって、万一防波堤１を超えた津波をこの防潮堤９にて防波堤１と同じように陸地側に押し寄せるのを防ぐ意味がある。
【００３１】
図６は、陸地１０の岸壁１１に波返し用の凹曲面２を形成することにより、以上に説明したと同様の津波防波効果を二重に奏するようにした実施例である。
【００３２】
なお、既設の防波堤の場合には、海側の面に凹曲面２を後付けで構築することにより、津波を反転させる本発明の作用効果をそのまま奏するように改築できる。
【符号の説明】
【００３３】
１  防波堤
２  波返し用の凹曲面
３  基礎
４  津波
５  反転波
６  貫通穴
７  波消ブロック
８  段差
９  防潮堤
１０  陸地
１１  岸壁
【図１】
2013060769.tif 000003
【図２】
2013060769.tif 000004
【図３】
2013060769.tif 000005
【図４】
2013060769.tif 000006
【図５】
2013060769.tif 000007
【図６】
2013060769.tif 000008